(57)【要約】【課題】  小型貫流ボイラのクローズド・ドレン回収は、給水予熱器内の給水が過熱されやすくドレンのクローズド回収が難しく熱が無駄に放出されている。【解決手段】蒸気ドレンを水位の高低差に依る定圧供給及び低燃焼及び高燃焼中にそれぞれの電磁弁が開き、連続供給させることで給水予熱器内の給水過熱を防ぎドレンのクローズド回収を可能にする。【選択図】図１
2013068399.tif 000002
【特許請求の範囲】
【請求項１】
▲Ｄ▼タンクのドレン圧力をアナログ式圧力センサーと電磁弁で任意に制御する仕組み
【請求項２】
▲Ｄ▼タンクの溜まったドレンを▲Ａ▼・▲Ｂ▼タンクに高低差によって移し、▲Ａ▼・▲Ｂ▼タンクを交互に作動させ高低差により連続して▲Ｃ▼ボイラに供給する仕組み。
【請求項３】
▲Ａ▼・▲Ｂ▼タンクから高低差で▲Ｃ▼ボイラにドレンを供給する際はボイラの低燃焼及び高燃焼中にそれぞれの電磁弁が作動し燃焼中の給水を行い、給水予熱器内の過熱を防ぐ仕組み。
【請求項４】
▲Ｃ▼ボイラが複数台設置している場合は、▲Ａ▼・▲Ｂ▼タンクと複数▲Ｃ▼ボイラに高低差をつける為▲Ｃ▼ボイラの蒸気配管の出口に▲１６▼オリフィスを設け１２．配管に複数▲Ｃ▼ボイラの一番高い圧力が掛る仕組み。
【発明の詳細な説明】
【技術分野】
【０００１】この発明は、蒸気のドレンに一定の圧力を掛けた状態のままドレンをボイラに熱回収する装置に関するものである。
【先行技術文献】
【０００２】蒸気ドレンの回収装置の一種でクローズド・ドレン回収装置と称されている。
【発明が解決しようとする課題】
【０００３】熱の伝達手段として最も安価で使いやすい熱媒体は水蒸気とされているが、最近の高効率ボイラにおいては熱を伝達した後のドレンの熱量の割合が高くドレン発生率が高い工場においてドレンの持つエネルギーを全て回収できない現状があります。ドレンをボイラにクローズド回収をすればドレンの熱量はほとんど回収可能で有るが、給水予熱器を有する高効率の小型貫流ボイラに於いて給水予熱器に高温水を供給した場合給水予熱器内の温度が過熱する為ドレンのクローズド回収がされず、エネルギーのロスが生じています。
【課題を解決するための手段】
【０００４】ボイラにドレンをクローズド回収する条件を燃焼中に連続供給とする事で給水予熱器内の温度を過熱から防ぐことが可能です。高低差に依るドレンの供給は、供給圧力の変化が極めて少なく、定量の供給量が可能です。従って給水予熱器内の給水の過熱を防ぎつつ連続してボイラにクローズド・ドレンを供給できます。
【発明の効果】
【０００５】ボイラにクローズド・ドレンを供給できれば、大気に放出していたフラッシュ蒸気の熱量をボイラの蒸発の熱量として再利用できる。また、ポンプが不要であるため電力消費量を抑えられます。エネルギーの節約とＣＯ２の削減に寄与します。
【図面の簡単な説明】
【０００６】
【図１】本発明の実施形態を示すフロー図面
【図２】リネン工場における本発明の利用例のフロー図
【発明を実施するための形態】
【０００７】以下、本発明の実施の形態を図１〜図２に基づいて説明する。
【０００８】図においては、▲Ｄ▼はドレンを貯めるタンクで、［ＰＳ］圧力センサーと▲１▼・▲２▼・▲３▼の電磁弁、▲１７▼の安全弁、［ＢＳ］の電極保持器で構成されている。
【０００９】▲Ａ▼・▲Ｂ▼タンクは、▲Ｄ▼タンクのドレンを▲Ｃ▼のボイラにドレンを供給する為の、吐出用タンクである。▲４▼・▲５▼・▲６▼・▲７▼の電磁弁と［ＢＳＬ］・［ＢＳＨ］の電極保持器・▲１１▼・▲１２▼・▲１３▼・▲１４▼の逆止弁で構成されている。
【００１０】▲Ｃ▼ボイラにドレンを供給する為の、電磁弁▲８▼・▲９▼、逆止弁▲１５▼で構成されている。
【００１１】▲Ａ▼・▲Ｂ▼タンクに▲Ｃ▼ボイラの最高の圧力を掛ける為に、▲１６▼のオリフィスを設けた。
【００１２】それぞれの部品は、配管によって接続されている。
【００１３】以下、上記構成の動作を説明する。▲Ｃ▼ボイラから発生した蒸気が１．の配管を経由して負荷装置に送られる。蒸気は負荷装置でドレンとなり２．の配管を経由して▲Ｄ▼ドレンタンクに溜まる。▲Ｄ▼ドレンタンクは［ＰＳ］センサーで感知し、▲１▼・▲２▼電磁弁を開閉させフラッシュ蒸気を排気し任意の圧力に保つ。
【００１４】▲Ｄ▼タンクのドレンは、▲４▼電磁弁を開け▲Ｄ▼タンクと▲Ａ▼タンクが同圧となり高低差によって５．配管、▲１１▼逆止弁を通って▲Ａ▼タンクに供給される。▲Ａ▼タンクの水位が［ＢＳＨ］まで上昇すると▲４▼電磁弁を閉とし、▲Ｄ▼タンクから▲Ａ▼タンクへのドレンの供給は停止する。
【００１５】▲５▼電磁弁を開けると▲Ｄ▼タンクと▲Ｃ▼ボイラの圧力が同圧となり▲８▼・▲９▼電磁弁を開けると▲Ａ▼タンクと▲Ｃ▼ボイラの高低差により▲Ａ▼タンクのドレンは、７．８．９．の配管を通って▲Ｃ▼ボイラに供給される。
【００１６】▲８▼．▲９▼電磁弁は、（ａ）：▲Ｄ▼タンクのドレン水位が［ＢＳ］のＬ以上、（ｂ）：▲Ｃ▼ボイラの水位が［ＢＳＨ］以下、（ｃ）：▲８▼電磁弁は▲Ｃ▼ボイラが低燃焼中、▲９▼電磁弁は▲Ｃ▼ボイラが高燃焼中の３条件で開となる。
【００１７】▲Ａ▼タンクのドレンを▲Ｃ▼ボイラに供給している間に▲Ｂ▼タンクにドレンを供給し待機させる。▲７▼電磁弁を開くと▲Ｄ▼タンクと▲Ｂ▼タンクが同圧になり、ドレンは高低差により５．配管▲１３▼逆止弁を通って▲Ｂ▼タンクに供給される。▲Ｂ▼タンクのドレン水位が［ＢＳＨ］まで上昇すると▲７▼電磁弁を閉じ供給は停止する。▲Ｂ▼タンクのドレンは、配管８．側の圧力に▲１４▼逆止弁が押され、停滞する。
【００１８】▲Ａ▼タンクの水位が［ＢＳＬ］まで低下すると▲５▼電磁弁を閉、▲４▼電磁弁を開とし▲Ｄ▼タンクのドレンを▲Ａ▼タンクに供給する。同時に▲６▼電磁弁を開け▲Ｂ▼タンクと▲Ｃ▼ボイラを同圧にし高低差によって▲Ｃ▼ボイラにドレンを供給する。
【００１９】▲Ａ▼タンク▲Ｂ▼タンクから▲Ｃ▼ボイラへのドレン供給は交互供給とし▲Ａ▼タンク▲Ｂ▼タンクの何れかが待機状態となる。
【００２０】▲Ｄ▼タンクのドレン水位が上昇し［ＢＳ］・Ｈに達すると▲Ｂ▼電磁弁を開き４．配管を通って▲Ｆ▼タンクに放出する。▲３▼電磁弁は通電閉とし電気が供給されていない時は放出状態となる。
【００２１】▲Ｃ▼ボイラが複数台設置している場合は、▲Ａ▼・▲Ｂ▼タンクと複数▲Ｃ▼ボイラに高低差をつける為、▲Ｃ▼ボイラの蒸気出口配管に▲１６▼オリフィスを設け、１２．配管に複数▲Ｃ▼ボイラの一番高い圧力が掛るようにする。
【実施例】
【００２２】図２はリネン工場の蒸気とドレン回収のフローである。リネン工場では蒸気のドレン回収率が高く従来のオープン式ドレン回収方法ではフラッシュ蒸気が大気に放出されエネルギーの損失が生じるが、クローズド・ドレン回収の場合はフラッシュの大気放出が殆どなくなる。
【産業上の利用可能性】
【００２３】リネン工場では、蒸気を多量に消費している。蒸気の用途は、洗濯水の加温、乾燥機の加熱、ロール等の仕上げ機械に使われている。洗濯水の加温は、直接加熱で、乾燥機やロールは間接加熱です。直接加熱が３０％、間接加熱が７０％の割合が一般的である。全蒸気量の７０％がドレンとなり排熱が生じる。ドレンの再利用の方法として、▲１▼ボイラの給水として再利用する。▲２▼洗濯水の温水として排熱を再利用する。▲３▼低圧フラッシュ蒸気を洗濯水の加熱用に再利用する。の三つの組み合わせがあります。この方法でドレンは、放熱を除き１００％再利用しています。リネン工場の排熱として次に大きいのが、洗濯排水の排熱です。６０度〜８０度の低温排水が大量に排出されますが、使い道が無く無駄に捨てられています。一つの方法として洗濯水の温水に再利用する方法がありますが、ドレンの排熱が余る事にとなり回収の意味がありません。クローズド・ドレン回収は、ドレンの排熱をボイラ設備内で吸収するので洗濯用温水の加熱に廻さなくてもよくなります。従って洗濯水の排水の熱量を洗濯水の温水の加熱に再利用できる事になります。燃料及びＣＯ２の削減に大きく寄与します。
【符号の説明】
【００２４】記号    部品名称                    記号    部品名称        記号      部品名称
▲Ａ▼  ドレン吐出タンク            ▲１▼  電磁弁  通電開  ▲１１▼  逆止弁
▲Ｂ▼  ドレン吐出タンク            ▲２▼  電磁弁  通電開  ▲１２▼  逆止弁
▲Ｃ▼  小型貫流ボイラ              ▲３▼  電磁弁  通電閉  ▲１３▼  逆止弁
▲Ｄ▼  ドレンタンク                ▲４▼  電磁弁  通電開  ▲１４▼  逆止弁
▲Ｅ▼  制御盤                      ▲５▼  電磁弁  通電開  ▲１５▼  逆止弁
▲Ｐ▼  圧力計                      ▲６▼  電磁弁  通電開  ▲１６▼  オリフィス
［ＰＳ］  圧力センサー（アナログ）  ▲７▼  電磁弁  通電開  ▲１７▼  安全弁
［ＢＳ］  電極保持器                ▲８▼  電磁弁  通電開
ＢＳＨ  電極保持器高水位            ▲９▼  電磁弁  通電開
ＢＳＬ  電極保持器低水位            ▲１０▼  電磁弁  通電開
［ＴＳ］  温度センサー（アナログ）
［ＰＷ］  給水ポンプ（▲Ｃ▼ボイラ用）
▲Ｆ▼  給水タンク（ボイラ用）
▲Ｇ▼  乾燥機
▲Ｈ▼  ロール
▲Ｔ▼  スチームトラップ
【図１】
2013068399.tif 000003
【図２】
2013068399.tif 000004